(57)【要約】      （修正有）【課題】筆記具上端部に球入れ遊び等の可能な玩具を嵌着したことを特徴とする玩具付筆記具を提供する。【解決手段】ハウジング２１の嵌着部２２が筆記具の上端部に嵌着され、該ハウジングの上部に嵌着された透明カバー２の内側で、ノック部によって打ち上げられる球体をかご内に入れる球入れ遊びを観察できるように構成し、筆記具１０のフック１１とスライド部材とが筆記具内で連結されており、該フックを下降させてから離すと、圧縮されたスプリングがノック部材を瞬時に押上げノック部上の球体が打ち上げられるように構成し、且つ、ハウジングと一体的に形成された支持部にはボードとかごを支持するポールが立設されており、更にテーパー凹部が形成されており、打ち上げ前の球体が常にノック部上に位置するように構成されている玩具付筆記具である。【選択図】図１
0003135822.tif 000002
【実用新案登録請求の範囲】
【請求項１】
筆記具上端部に球入れ遊び等の可能な玩具を嵌着したことを特徴とする玩具付筆記具。
【請求項２】
ハウジングの嵌着部が筆記具の上端部に嵌着され、該ハウジングの上部に嵌着された透明カバーの内側で、ノック部によって打ち上げられる球体をかご内に入れる球入れ遊びを観察できるように構成したことを特徴とする請求項１記載の玩具付筆記具。
【請求項３】
筆記具のフックとスライド部材とが筆記具内で連結されており、該フックを下降させてから離すと、圧縮されたスプリングがノック部材を瞬時に押上げノック部上の球体が打ち上げられるように構成したことを特徴とする請求項１記載の玩具付筆記具。
【請求項４】
ハウジングと一体的に形成された支持部にはボードとかごを支持するポールが立設されており、更にテーパー凹部が形成されており、打ち上げ前の球体が常にノック部上に位置するように構成されていることを特徴とする請求項１記載の玩具付筆記具。
【考案の詳細な説明】
【技術分野】
【０００１】  本考案は玩具付筆記具であって、特に筆記具上端部に球入れ遊び等の可能な玩具を嵌着したことを特徴とする玩具付筆記具に関する。
【背景技術】
【０００２】  従来、筆記具の上端部に図形を描いた面状体やキャラクターを備えた装飾体を形成したものが考案されている。【０００３】
【実用新案文献１】
登録実用新案第３０３９３９６号公報
【実用新案文献２】
実開平６−４６９８７号公報
【考案の開示】
【考案が解決しようとする課題】
【０００４】  しかしながら、上述した登録実用新案第３０３９３９６号公報「装飾具付筆記具」は、面状部に図形を有し、筆記具を密集した状態で収納しても面上部をつかんで容易に取り出すことと、宣伝用の図形を設けることが主な特徴となっている。【０００５】また、上述した実開平６−４６９８７号公報では、マグネットを介してカバー内のキャラクターを移動可能に構成したものである。【０００６】    これに対して、本考案の玩具付筆記具は、平面状の表示部やマグネットを使用したキャラクターの移動ではなく、筆記具の上端部に嵌着した玩具が、球入れ遊び等の玩具としての興味ある機能を有するもので、全く同じ動作の繰り返しではないので、手操作の加減によって球入れ遊びをするものであって、複数人数で行う場合などは手操作の加減を競うことができる玩具付筆記具を提供するものである。
【課題を解決するための手段】
【０００７】  本考案は上記の課題を解決するために鋭意研究された玩具付筆記具であって、筆記具上端部に球入れ遊び等の可能な玩具を嵌着したことを特徴とし、ハウジングの嵌着部が筆記具の上端部に嵌着され、該ハウジングの上部に嵌着された透明カバーの内側で、ノック部によって打ち上げられる球体をかご内に入れる球入れ遊びを観察できるように構成し、筆記具のフックとスライド部材とが筆記具内で連結されており、該フックを下降させてから離すと、圧縮されたスプリングがノック部材を瞬時に押上げノック部上の球体が打ち上げられるように構成し、且つ、ハウジングと一体的に形成された支持部にはボードとかごを支持するポールが立設されており、更にテーパー凹部が形成されており、打ち上げ前の球体が常にノック部上に位置するように構成されている玩具付筆記具である。
【考案の効果】
【０００８】  本考案の玩具付筆記具によれば、かご内へ球体を打ち上げて入れる場合に再現性の確率が手操作の加減で左右されるので、球入れ遊びを競うこともできる興味ある玩具付筆記具を提供することができるので、子供が勉強で疲れた時や大人が仕事で疲れた時などに僅かな時間で気分転換に利用することができるものである。
【考案を実施するための最良の形態】
【０００９】  以下、図面に示す実施例に基づき、本考案の具体的な構成を説明する。図１は本考案に係る玩具付筆記具の正面図である。図２は本考案に係る玩具付筆記具の平面である。図３は図２のＡ−Ａ線部分断面図である。図４は図２のＢ−Ｂ線部分断面図である。【００１０】  本考案の玩具付筆記具は、ハウジング２１の嵌着部２２が筆記具１０の上端部に嵌着され、該ハウジング２１の上部に嵌着された透明カバー２の内側で、ノック部７１によって打ち上げられる球体３をかご５の中に入れる球入れ遊びを観察できるように構成されている。【００１１】  筆記具１０のフック１１とスライド部材９とが筆記具内で連結されており、フック１１を手で下降させるとノック部材７が枢軸７２を支点として僅かに回動し、スプリング８を圧縮する。次いでノック部材７から手を離すと、圧縮されたスプリング８がノック部材７を瞬時に押上げノック部７１上の球体３が打ち上げられるように構成されている。【００１２】  ハウジング２１と一体的に形成された支持部６にはボード４１とかご５を支持するポール４が立設されており、更にテーパー凹部６１が形成されており、打ち上げ前の球体が常にノック部７１の上に位置するように構成されている。【００１３】  かご５内に入った球体３を、玩具付筆記具全体を振って支持部６上に落とすと、球体３は再びテーパー凹部６１の中心より露出しているノック部７１上に収まり、上記の球入れ遊びを再現できる。【００１４】  本考案の実施例では、バスケットボールを模した図面が表示されているが、バスケットボールに限らず、動物等のキャラクターを透明カバー２内で跳びはねさせて遊ぶこともできる。
【図面の簡単な説明】
【００１５】
【図１】本考案に係る玩具付筆記具の正面図である。
【図２】本考案に係る玩具付筆記具の平面である。
【図３】図２のＡ−Ａ線部分断面図である。
【図４】図２のＢ−Ｂ線部分断面図である。
【符号の説明】
【００１６】  １  玩具
２  透明カバー
２１  ハウジング
２２  嵌合部
３  球体
４  ポール
４１  ボード
５  かご
６  支持部
６１  テーパー凹部
７  ノック部材
７１  ノック部
７２  枢軸
７３  フック部
８  スプリング
９  スライド部材
９１  フック部
１０  筆記具
１１  フック
【図１】
0003135822.tif 000003
【図２】
0003135822.tif 000004
【図３】
0003135822.tif 000005
【図４】
0003135822.tif 000006
【手続補正書】
【提出日】平成19年1月18日(2007.1.18)
【手続補正１】
【補正対象書類名】実用新案登録請求の範囲
【補正対象項目名】請求項１、請求項２
【補正方法】変更
【補正の内容】
【実用新案登録請求の範囲】
【請求項１】
ハウジング２１の嵌合部２２が筆記具１０の上端部に嵌着され、該ハウジング２１の上部に嵌着された透明カバー２の内側で、ノック部７１によって打ち上げられる球体３をかご５内に入れる球入れ遊び玩具を筆記具に嵌着したことを特徴とする玩具付筆記具。
【請求項２】
ハウジングの嵌合部が筆記具の上端部に嵌着され、該ハウジングの上部に嵌着された透明カバーの内側で、ノック部によって打ち上げられる球体をかご内に入れる球入れ遊びを外部より観察できるように構成したことを特徴とする請求項１記載の玩具付筆記具。
【手続補正書】
【提出日】平成19年7月12日(2007.7.12)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
ハウジング２１の嵌合部２２が筆記具１０の上端部に嵌着され、該ハウジング２１の上部に嵌着された透明カバー２の内側で、ノック部７１によって打ち上げられる球体３をかご５内に入れる球入れ遊び玩具を筆記具に嵌着したことを特徴とする玩具付筆記具。
【請求項２】
ハウジングの嵌合部が筆記具の上端部に嵌着され、該ハウジングの上部に嵌着された透明カバーの内側で、ノック部によって打ち上げられる球体をかご内に入れる球入れ遊びを外部より観察できるように構成したことを特徴とする請求項１記載の玩具付筆記具。
【請求項３】
筆記具のフックとスライド部材とが筆記具内で連結されており、該フックを下降させてから離すと、圧縮されたスプリングがノック部材を瞬時に押上げノック部上の球体が打ち上げられるように構成したことを特徴とする請求項１記載の玩具付筆記具。
【請求項４】
ハウジングと一体的に形成された支持部にはボードとかごを支持するポールが立設されており、更にテーパー凹部が形成されており、打ち上げ前の球体が常にノック部上に位置するように構成されていることを特徴とする請求項１記載の玩具付筆記具。